(57)【要約】【課題】作業者の負担が増大することを抑制することができる空気調和装置の室内機を提供することを目的としている。【解決手段】ファンを回転させるモータの回転軸が鉛直方向と平行となるように、モータが縦置きに配置される空気調和装置の室内機において、モータを支持するモータ台と、モータの回転軸が鉛直方向に対して所定角度傾くように、モータ台を回転自在に支持するモータ台支持台枠と、を有するものである。【選択図】図１
2014119172.tif 000002
【特許請求の範囲】
【請求項１】
ファンを回転させるモータの回転軸が鉛直方向となるように、前記モータが縦置きに配置される空気調和装置の室内機において、
前記モータを支持するモータ台と、
前記モータの前記回転軸が鉛直方向に対して所定角度傾くように、前記モータ台を回転自在に支持するモータ台支持台枠と、
を有する
ことを特徴とする空気調和装置の室内機。
【請求項２】
前記モータ台支持台枠は、
前記モータ台の一方の側面側に対向するように設けられる第１モータ台支持台枠と、
前記モータ台の他方の側面側に対向するように設けられる第２モータ台支持台枠とを有し、
前記モータ台は、
前記モータ台のモータ台回転軸が水平方向と平行となるように、前記第１モータ台支持台枠と前記第２モータ台支持台枠とによって挟まれて、前記モータ台回転軸を中心に回転自在に前記モータ台支持台枠に取り付けられている
ことを特徴とする請求項１に記載の空気調和装置の室内機。
【請求項３】
前記モータ台は、
前記モータ台の前記第１モータ台支持台枠側に形成される第１プランジャと、
前記モータ台の前記第２モータ台支持台枠側に形成される第２プランジャとを有し、
前記第１モータ台支持台枠は、
前記モータを縦置きの状態から所定角度回転させたとき前記第１プランジャが嵌め込まれるように形成された第１プランジャ用穴を有し、
前記第２モータ台支持台枠は、
前記モータを縦置きの状態から前記所定角度回転させたとき前記第２プランジャが嵌め込まれるように形成された第２プランジャ用穴を有する
ことを特徴とする請求項２に記載の空気調和装置の室内機。
【請求項４】
前記モータ台は、
前記モータ台の前記第１モータ台支持台枠側に形成される第１回転防止部材と、
前記モータ台の前記第２モータ台支持台枠側に形成される第２回転防止部材とを有し、
前記モータを縦置きの状態において前記モータが逆方向に回らないように構成されている
ことを特徴とする請求項３に記載の空気調和装置の室内機。
【請求項５】
前記モータ台は、
前記モータが縦置きの状態のときにおいて、
前記第１回転防止部材が前記第１モータ台支持台枠に固定されるとともに、前記第２回転防止部材が前記第２モータ台支持台枠に固定されて、前記モータ台支持台枠に固定される
ことを特徴とする請求項４に記載の空気調和装置の室内機。
【請求項６】
前記室内機の外郭に固定され、前記モータ台支持台枠を支持するフレームを有し、
前記モータ台支持台枠は、
前記モータを縦置きの状態から予め設定された角度回転させて、前記第１プランジャ及び前記第２プランジャを前記第１プランジャ用穴及び前記第２プランジャ用穴に嵌め込んだ状態において、
前記ファンと前記フレームとが接触しないように、前記第１プランジャ用穴及び前記第２プランジャ用穴の形成位置と、前記モータ台の回転軸の位置とが設定されている
ことを特徴とする請求項３〜５のいずれか一項に記載の空気調和装置の室内機。
【請求項７】
前記フレーム上を移動自在に設けられ、前記モータ台支持台枠が固定される台枠固定部材と、
前記モータ台支持台枠及び前記台枠固定部材を貫通して前記フレームに接続され、前記モータ台支持台枠及び前記台枠固定部材と前記フレームとを固定する固定手段と、
を有する
ことを特徴とする請求項６に記載の空気調和装置の室内機。
【請求項８】
前記モータ台及び前記モータ台支持台枠は、
前記フレームに対して上側、或いは下側に取り付けられる
ことを特徴とする請求項６又は７に記載の空気調和装置の室内機。
【請求項９】
前記モータ台には、
前記モータの設置面に、前記モータの位置決めピンが形成されている
ことを特徴とする請求項１〜８のいずれか一項に記載の空気調和装置の室内機。
【発明の詳細な説明】
【技術分野】
【０００１】
本発明は、空気調和装置の室内機に関し、特に、モータの取り付け、取り外し構造に関するものである。
【背景技術】
【０００２】
大容量の空気調和装置においては、一般家庭用空気調和装置に比べファンモータの消費電力が大きいため、ファンモータの消費電力を低減させる事でも空気調和装置の省エネや高効率化となる。
このような大容量の空気調和装置に備えられる送風装置には、一般的に遠心ファンが配備されているが、その中でも送風効率の良いターボファンが好まれる。たとえば、シロッコファンの送風効率が４５〜６０％程度であるのに対して、ターボファンの送風効率は６５〜８０％程度である。
【０００３】
シロッコファンのケーシングは、スクロール形状であると送風効率を高くすることができる。このため、一般的にシロッコファンのケーシングとしては、スクロール形状が採用されている。しかし、ターボファンの場合には、ケーシング形状が送風効率に及ぼす影響が少ないため、製造上の都合から、スクロール状のケーシングよりも箱体のケーシングが採用されることが多い。
【０００４】
たとえば、従来のターボファンを備えた空気調和装置としては、箱状のケーシングを有し、上側に空気を吹き出すように、ケーシングのモータを縦置きとしているものが提案されている（たとえば、特許文献１、２参照）。特許文献１、２に記載の技術は、モータシャフトにターボファンが接続され、ケーシング上面にインレットリングが配置される。
なお、特許文献２に記載の技術は、モータを支持するのに利用される吊りボルトが、モータの横側面に接続されている。
【先行技術文献】
【特許文献】
【０００５】
【特許文献１】特開２０１０−２３６７３５号公報（たとえば、図１参照）
【特許文献２】特開２０１０−１５１３９９号公報（たとえば、図３及び図４参照）
【発明の概要】
【発明が解決しようとする課題】
【０００６】
大容量の空気調和装置においては、モータの重量はたとえば５０ｋｇ程度と重い。こここで、モータは、モータシャフトの方向の幅よりも、モータシャフトに垂直の方向の幅が短い。このため、室外機や室内機にモータを搬入等をする際には、モータシャフトの方向と平行な面が下側にくるようにして、モータを横置きにした方が安定する。
すなわち、室外機や室内機にモータを縦置きの状態で設置する場合には、たとえば５０ｋｇ程度と重いモータを横置きの状態から縦置きにするということである。
【０００７】
室外機や室内機に横置きの状態で設置されるモータ、及びモータのシャフト側にフランジの付いた立形モータなどにおいても、吊りボルトの接続される位置はモータの横側面である。しかし、これらについては、縦置きにしない分、作業者の負担はかからないものとなっている。
【０００８】
しかし、特許文献１、２に記載のように、室外機や室内機に縦置きの状態でモータが設置される空気調和装置では、空気調和装置が大容量であるほどモータの重量が大きくなるため、モータを室外機や室内機内に搬入したり、室外機内や室内機内から取り出したりする際に、ハンドリフトの他に、所定の冶具が必要となっていた。
すなわち、特許文献１、２に記載の技術では、ハンドリフトの他に、所定の冶具が必要となる分、作業者の負担が増大してしまうという課題があった。
【０００９】
本発明は、以上のような課題を解決するためになされたもので、作業者の負担が増大することを抑制する空気調和装置の室内機を提供することを目的としている。
【課題を解決するための手段】
【００１０】
本発明に係る空気調和装置の室内機は、ファンを回転させるモータの回転軸が鉛直方向と平行となるように、モータが縦置きに配置される空気調和装置の室内機において、モータを支持するモータ台と、モータの回転軸が鉛直方向に対して所定角度傾くように、モータ台を回転自在に支持するモータ台支持台枠と、を有するものである。
【発明の効果】
【００１１】
本発明に係る空気調和装置の室内機によれば、モータ台支持台枠によってモータを、モータ台に支持した状態のままで回転させることで、モータを持つ際に利用される部材（たとえば、吊りボルトなど）の位置を変化させることができる。これにより、モータをモータ台に取り付けたり、取り外したりするときにおける作業者の負担が増大することを抑制できる。
【図面の簡単な説明】
【００１２】
【図１】本発明の実施の形態１に係る空気調和装置の室内機の縦断面図である。
【図２】図１に示す送風装置のケーシングの分解斜視図である。
【図３】図１に示す送風装置の構造例の説明図である。
【図４】図３に示すモータ台支持台枠及びモータ台の分解斜視図である。
【図５】図１に示す送風装置のモータを着脱する際の斜視図である。
【図６】図５に示す送風装置であってターボファンを外した状態の斜視図である。
【図７】図５に示す送風装置であってターボファン及びモータを外した状態の斜視図である。
【図８】本発明の実施の形態２に係る空気調和装置の支持台枠固定部材及びその近傍の斜視図である。
【図９】本発明の実施の形態３に係る空気調和装置の室内機の縦断面図である。
【発明を実施するための形態】
【００１３】
以下、本発明の実施の形態を図面に基づいて説明する。
実施の形態１．  
図１は、実施の形態１に係る空気調和装置の室内機１００の縦断面図である。なお、図１（ａ）は、室内機１００に送風装置Ａを取り付け、空気調和装置を運転するときにおける縦断面図である。また、図１（ｂ）は、室内機１００に送風装置Ａを取り付けるとき、及び取り外すときにおける縦断面図である。図２は、図１に示す送風装置Ａのケーシング１５の分解斜視図である。図３は、図１に示す送風装置Ａの構造例の説明図である。
本実施の形態に係る空気調和装置は、送風装置Ａの取り付け、取り外し方法に改良が加えられたものであり、作業者の負担が増大することを抑制することができる。
なお、以下の説明においては、送風装置Ａが室内機１００に取り付けられている場合を例に説明するが、室外機においても適用することができる。
【００１４】
空気調和装置は、たとえば、空調対象空間（たとえば、家、ビル、倉庫など）に冷却或いは加温した空気を供給するなどの機能を有するものである。空気調和装置は、利用側である室内機１００と、熱源側である室外機（図示省略）とが冷媒配管などで接続されているものである。
室内機１００は、送風装置Ａなどの各種機器が搭載される本体１００Ａと、取り込んだ室外の空気と室内の空気とを熱交換させる熱交換器２１と、空気を本体１００Ａ内に取り込んだ後に放出する送風装置Ａとを少なくとも有している。
【００１５】
［本体１００Ａ］
本体１００Ａは、本体１００Ａ内に空気を取り込むのに利用される吸込口１００Ｂと、熱交換器２１において冷媒と熱交換した空気を本体１００Ａ外に放出する吹出口１００Ｃとが設けられている。吸込口１００Ｂについては、たとえば本体１００Ａの上部に設けられ、吹出口１００Ｃについては、たとえば本体１００Ａの下部に設けられる。
【００１６】
本体１００Ａは、たとえば、コンピュータ室のフリーアクセスフロア（床下）に調和空気を吹き出す下吹き出し型のものである。
すなわち、本体１００Ａは、空調対象空間の床面ではなく、たとえば格子状であって空調対象空間の床面から所定の高さだけ持ち上げられた床面上に設置されるものである。このため、本体１００Ａの下部に吹出口１００Ｃがあっても、格子状の床面の隙間からこの格子状の床面の下側のフリーアクセスフロアに空気が流出するようになっており、本体１００Ａ内の空気が閉塞されないようになっている。
なお、本体１００Ａの吸込口１００Ｂ及び吹出口１００Ｃの形成位置は、これに限定されるものではない。たとえば、空気調和装置の用途に応じて、吹出口１００Ｃが本体１００Ａの側面側に形成される態様の室内機１００としてもよい。
【００１７】
［熱交換器２１］
熱交換器２１は、本体１００Ａに導入した空気と、熱交換器２１に供給される冷媒とを熱交換させるものである。熱交換器２１は、送風装置Ａの上側に配置されており、空気流れ方向に対して送風装置Ａよりも下流側に設けられているものである。なお、図１では、熱交換器２１を傾斜配置している場合を例に説明しているが、それに限定されるものではなく、傾斜させなくてもよい。
【００１８】
［送風装置Ａ］
送風装置Ａは、空気を本体１００Ａ内に取り込んだ後に放出するものであり、熱交換器２１の下側に配置されており、空気流れ方向に対して熱交換器２１よりも上流側に設けられているものである。
送風装置Ａは、外郭を構成するケーシング１５と、翼を複数有し、回転するターボファン１と、ターボファン１を回転させるモータ２と、ターボファン１とモータ２とを接続する回転軸１１（図６参照）と、モータ２を支持するモータ台３と、モータ台３を支持するモータ台支持台枠６と、モータ台支持台枠６を支持するフレーム５とを有しているものである。
【００１９】
（ケーシング１５）
ケーシング１５は、ターボファン１、モータ２、回転軸１１、モータ台３、モータ台支持台枠６、及びフレーム５などを収容するものである。ケーシング１５は、略格子状となっているフレーム１６と、フレーム１６における下部以外を取り囲むように設けられる５つのパネル１７と、ケーシング１５内に空気を取り込む取込口となるインレットリング１８とを有しているものである。
【００２０】
（フレーム１６）
フレーム１６には、作業者がモータ２の取り付け作業が終わった後に、パネル１７が取り付けられる。また、モータ２の取り付け、取り外し作業時においては、本体１００Ａの前面側に対向するパネル１７をフレーム１６から外すことで、ケーシング１５内のターボファン１やモータ２などを露出させることができる。これにより、作業者は、ケーシング１５内のターボファン１やモータ２などを、ケーシング１５の内外に移動することができる。
なお、フレーム１６のうちの上部及び側部には、パネル１７が取り付けられているが、フレーム１６の下部には取り付けられていない。すなわち、インレットリング１８側からケーシング１５内に取り込まれた空気は、ケーシング１５の下側からケーシング１５外に放出されるということである。
【００２１】
（パネル１７及びインレットリング１８）
パネル１７は、パネル１７のうちフレーム１６の上部に設けられるものには、略円形状の開口部１７Ａが形成された平面視形状が略板状部材である。この開口部１７Ａの形成位置に、インレットリング１８が取り付けられている。そして、パネル１７のうちフレーム１６の側部に設けられる４つのものは、平面視形状が略板状の部材である。パネル１７は、フレーム１６に対してたとえば、ネジ止めなどで固定されている。
インレットリング１８は、ケーシング１５内に吸い込まれる空気の流れの乱れを抑制するように内側面に曲面が形成されたベルマウスとしての機能を有するものである。インレットリング１８は、ケーシング内にターボファン１、回転軸１１及びモータ２を設置し、縦置きの状態にした後にパネル１７に取り付けられる。これは、インレットリング１８を先に取り付けていると、横置きの状態から縦置きの状態にする際にターボファン１とインレットリング１８とが干渉してしまうからである。
【００２２】
（ターボファン１、モータ２、回転軸１１）
ターボファン１は、複数の翼を有し、モータ２によって回転させられるものである。なお、図３において、ターボファン１のうち、紙面の上側部分が空気の吸込面１Ａとなっている。ターボファン１は、空気調和装置が運転している状態においては、ケーシング１５の５つのパネル１７のうち、ケーシング１５の上部に設けられるパネル１７の対向位置に設けられているものである。
なお、本実施の形態１では、送風装置Ａにターボファン１が設けられているものとして説明するが、それに限定されるものではなく、たとえばシロッコファン等のように遠心ファンを採用していればよい。
モータ２は、電流が流れるコイルが巻き付けられた固定子、及び永久磁石などを有し、回転軸１１に接続される回転子などから構成されるものである。モータ２には、回転軸１１が接続されている。
回転軸１１は、一端側にモータ２の回転子が接続され、他端側にターボファン１が接続されているものである。
なお、本実施の形態に係る空気調和装置の室内機１００では、作業者がモータ台３の姿勢を切り替えることで、ターボファン１、モータ２及び回転軸１１の姿勢も切り替えることができるようになっている。
【００２３】
（モータ台３、モータ台支持台枠６、フレーム５）
モータ台３は、モータ２を支持するものであり、たとえば、略平板状のものである。モータ台３は、モータ２の外周の一部に対向するように設けられている。
モータ台支持台枠６は、モータ台３を支持するものであり、モータ台３の一方の端部側を支持する第１モータ台支持台枠６Ａ及びモータ台３の他方の端部側を支持する第２モータ台支持台枠６Ｂを有しているものである。
フレーム５は、モータ台支持台枠６を支持するものであり、第１モータ台支持台枠６Ａを支持する第１フレーム５Ａ及び第２モータ台支持台枠６Ｂを支持する第２フレーム５Ｂと、第１フレーム５Ａの両端部側及び第２フレーム５Ｂの両端部側に接続され、上面視形状が略ロの字状の第３フレーム５Ｃとを有しているものである。
なお、モータ台３、モータ台支持台枠６、及びフレーム５については、後述の図４〜図７にて詳細に説明する。
【００２４】
この送風装置Ａは、縦置きの状態で本体１００Ａ内に設置される。すなわち、送風装置Ａは、空気調和装置を運転する際には、回転軸１１が略鉛直方向に平行となりターボファン１の空気の吸込面１Ａが上側を向く状態で本体１００Ａ内に設置されているということである（図３参照）。この状態を以下の説明では、第１の状態とも称する。
すなわち、第１の状態では、回転軸１１が略鉛直方向に平行となるように、ターボファン１、モータ２及び回転軸１１がケーシング１５に設けられている状態である。
また、送風装置Ａは、室内機１００に取り付けるとき、及び取り外すとき等といったように、メンテナンスをする際においては、回転軸１１が略鉛直方向の状態から傾けられて、ターボファン１の空気の吸込面１Ａが本体１００Ａの側面を向く状態への姿勢の移行がなされる（図５参照）。この状態を以下の説明では、第２の状態とも称する。
すなわち、第２の状態では、回転軸１１が略鉛直方向の状態から予め設定される角度傾けられた状態となるように、ターボファン１、モータ２及び回転軸１１がケーシング１５に設けられている。この第２の状態では、吊りボルト４は上側にくるようになっている。
【００２５】
［モータ台３、モータ台支持台枠６、フレーム５の詳細］
図４は、図３に示すモータ台支持台枠６及びモータ台３の分解斜視図である。図５は、図１に示す送風装置Ａのモータ２を着脱する際の斜視図である。図６は、図５に示す送風装置Ａであってターボファン１を外した状態の斜視図である。図７は、図５に示す送風装置Ａであってターボファン１及びモータ２を外した状態の斜視図である。図４〜図７を参照してモータ台３、モータ台支持台枠６、及びフレーム５の詳細な構成について説明する。
【００２６】
（モータ台３）
モータ台３は、たとえば、略四角形状部材である。そして、モータ台３は、第１の状態となるようにモータ２を支持するのに利用される第１回転防止部材３Ａ及び第２回転防止部材３Ｂと、モータ台３をモータ台支持台枠６に対して回転自在に固定する回転軸３Ｃと、第１の状態及び第２の状態となるようにモータ２を支持するのに利用される第１プランジャ１２Ａ及び第２プランジャ１２Ｂとを有しているものである。
なお、モータ台３は、図６及び図７に示すように、たとえば、４本のボルト１０によってモータ２が固定されている。また、モータ台３には、図７に示すように、モータ２が設置される側の面に位置決めピン１４が形成されている。これにより、モータ２をモータ台３に取り付ける際において、モータ台３に形成されている位置決めピン１４によって傾斜しているモータ台３上でもモータ２が滑り落ちずに位置決めされる。すなわち、モータ２をボルト１０でモータ台３に固定する際の作業者の負担を抑制することができる。
【００２７】
第１回転防止部材３Ａは、モータ台３のうちの第１モータ台支持台枠６Ａ側の端部側に突出して設けられた平板状部材である。第１回転防止部材３Ａには、第１ボルト穴３ＡＡが形成されている。第１の状態においては、第１ボルト穴３ＡＡは、後述する第１モータ台支持台枠６Ａの第１ボルト穴９Ａに対して対向するように接触する。そして、第１の状態において、第１ボルト穴３ＡＡ及び第１ボルト穴９Ａに図示省略のボルトが締結されて、モータ台３が第１モータ台支持台枠６Ａに固定される。これにより、ターボファン１、モータ２及び回転軸１１は、第１の状態における姿勢を維持することができるようになっている。
第２回転防止部材３Ｂも、第１回転防止部材３Ａと同様の構成を有している。第２回転防止部材３Ｂは、モータ台３のうちの第２モータ台支持台枠６Ｂ側の端部側に突出して設けられた平板状部材である。第２回転防止部材３Ｂには、第２ボルト穴３ＢＢが形成されている。第１の状態においては、第２ボルト穴３ＢＢは、後述する第２モータ台支持台枠６Ｂの第２ボルト穴９Ｂに対して対向するように接触する。そして、第１の状態において、第２ボルト穴３ＢＢ及び第２ボルト穴９Ｂに図示省略のボルトが締結されて、モータ台３が第２モータ台支持台枠６Ｂに固定される。これにより、ターボファン１、モータ２及び回転軸１１は、第１の状態における姿勢を維持することができるようになっている。
【００２８】
回転軸３Ｃは、モータ台３のうちの第１モータ台支持台枠６Ａ側の端部側、及び第２モータ台支持台枠６Ｂ側の端部側に設けられているものである。この回転軸３Ｃは、水平方向に対して略平行である。
回転軸３Ｃの一方の端部側は、後述する第１モータ台支持台枠６Ａの第１回転軸支持穴８Ａに接続され、回転軸３Ｃの他方の端部側は、後述する第２モータ台支持台枠６Ｂの第２回転軸支持穴８Ｂに接続される。これにより、モータ台３は、モータ台支持台枠６に対して回転自在となる。
【００２９】
第１プランジャ１２Ａは、第１の状態及び第２の状態となるようにモータ２を支持するのに利用されるものであり、モータ台３のうちの第１モータ台支持台枠６Ａ側の端部側に突出して形成されたものである。ここで、図４に示すように、回転軸３Ｃを基準としたとき、第１回転防止部材３Ａの形成されている側（図４の紙面上側）の反対側（図４の紙面下側）に、第１プランジャ１２Ａは形成されている。
第１プランジャ１２Ａは、第１の状態のときにおいては後述する第１モータ台支持台枠６Ａの第１プランジャ用穴１３Ａ１に嵌められ、第２の状態のときにおいては後述する第１モータ台支持台枠６Ａの第１プランジャ用穴１３Ａ２に嵌められるものである。なお、第１プランジャ１２Ａは、たとえばスプリング式を採用するとよい。
【００３０】
第２プランジャ１２Ｂも、第１プランジャ１２Ａと同様の構成を有している。第２プランジャ１２Ｂは、第１の状態及び第２の状態となるようにモータ２を支持するのに利用されるものであり、モータ台３のうちの第２モータ台支持台枠６Ｂ側の端部側に突出して形成されたものである。ここで、図４に示すように、回転軸３Ｃを基準としたとき、第２回転防止部材３Ｂの形成されている側（図４の紙面上側）の反対側（図４の紙面下側）に、第２プランジャ１２Ｂは形成されている。
第２プランジャ１２Ｂは、第１の状態のときにおいては後述する第２モータ台支持台枠６Ｂの第２プランジャ用穴１３Ｂ１に嵌められ、第２の状態のときにおいては後述する第２モータ台支持台枠６Ｂの第２プランジャ用穴１３Ｂ２に嵌められるものである。なお、第２プランジャ１２Ｂは、たとえばスプリング式を採用するとよい。つまり、第１プランジャ１２Ａ及び第２プランジャ１２Ｂを突出状態を維持するようにスプリングで付勢しておき、その付勢する力よりも強い力が加えられると内側に引っ込むようにしておくとよい。
【００３１】
（モータ台支持台枠６）
モータ台支持台枠６は、側面視形状が、たとえば略五角形状部材であり、第１モータ台支持台枠６Ａ及び第２モータ台支持台枠６Ｂを有しているものである。
第１モータ台支持台枠６Ａは、モータ台３の回転軸３Ｃが接続される第１回転軸支持穴８Ａと、第１の状態となるようにモータ台３を支持するのに利用される第１プランジャ用穴１３Ａ１と、第２の状態となるようにモータ台３を支持するのに利用される第１プランジャ用穴１３Ａ２と、第１の状態となるように図示省略のボルトなどが締結される第１ボルト穴９Ａとが形成されているものである。
第２モータ台支持台枠６Ｂは、モータ台３の回転軸３Ｃが接続される第２回転軸支持穴８Ｂと、第１の状態となるようにモータ台３を支持するのに利用される第２プランジャ用穴１３Ｂ１と、第２の状態となるようにモータ台３を支持するのに利用される第２プランジャ用穴１３Ｂ２と、第１の状態となるように図示省略のボルトなどが締結される第２ボルト穴９Ｂとが形成されているものである。
【００３２】
第１回転軸支持穴８Ａ及び第２回転軸支持穴８Ｂは、回転軸３Ｃが接続されるものである。
第１回転軸支持穴８Ａは、穴の中心の高さ位置が、第１ボルト穴９Ａの中心よりも下側であって第１プランジャ用穴１３Ａ１及び第１プランジャ用穴１３Ａ２の中心よりも上側となっている。第１回転軸支持穴８Ａは、穴の中心の水平位置が、第１プランジャ用穴１３Ａ１の中心と略同一の位置であって、第１プランジャ用穴１３Ａ２の中心よりも紙面左側となっている。なお、第１回転軸支持穴８Ａは、第１プランジャ用穴１３Ａ１及び第１プランジャ用穴１３Ａ２とともに同一平面に形成されているものである。
第２回転軸支持穴８Ｂも、第１回転軸支持穴８Ａと同様の構成を有している。第２回転軸支持穴８Ｂは、穴の中心の高さ位置が、第２ボルト穴９Ｂの中心よりも下側であって第２プランジャ用穴１３Ｂ１及び第２プランジャ用穴１３Ｂ２の中心よりも上側となっている。第２回転軸支持穴８Ｂは、穴の中心の水平位置が、第２プランジャ用穴１３Ｂ１の中心と略同一の位置であって、第２プランジャ用穴１３Ｂ２の中心よりも紙面左側となっている。なお、第２回転軸支持穴８Ｂは、第２プランジャ用穴１３Ｂ１及び第２プランジャ用穴１３Ｂ２とともに同一平面に形成されているものである。
【００３３】
第１プランジャ用穴１３Ａ１及び第１プランジャ用穴１３Ａ２は、第１プランジャ１２Ａが嵌められるものである。また、第２プランジャ用穴１３Ｂ１及び第２プランジャ用穴１３Ｂ２は、第２プランジャ１２Ｂが嵌められるものである。
第１プランジャ用穴１３Ａ１は、第１回転軸支持穴８Ａの下側に形成され、モータ台３が第１の状態のときに第１プランジャ１２Ａが嵌められる。第１プランジャ用穴１３Ａ２は、その穴の中心が、第１回転軸支持穴８Ａの穴の中心よりも下側に形成されるとともに、第１回転軸支持穴８Ａの穴の中心よりも図４の紙面右側に形成され、モータ台３が第２の状態のときに第１プランジャ１２Ａが嵌められる。
第２プランジャ用穴１３Ｂ１は、第２回転軸支持穴８Ｂの下側に形成され、モータ台３が第１の状態のときに第２プランジャ１２Ｂが嵌められる。第２プランジャ用穴１３Ｂ２は、その穴の中心が、第２回転軸支持穴８Ｂの穴の中心よりも下側に形成されるとともに、第２回転軸支持穴８Ｂの穴の中心よりも図４の紙面右側に形成され、モータ台３が第２の状態のときに第２プランジャ１２Ｂが嵌められる。
【００３４】
第１ボルト穴９Ａは、第１モータ台支持台枠６Ａのうち第１回転軸支持穴８Ａ、第１プランジャ用穴１３Ａ１、及び第１プランジャ用穴１３Ａ２が形成されている面に対して直交するように接続されている面に形成されているものである。より詳細には、第１ボルト穴９Ａは、第１モータ台支持台枠６Ａのうち鉛直方向に略平行であって高さ方向が高い方の面に形成されているものである。なお、第１ボルト穴９Ａの形成位置は、第１回転軸支持穴８Ａよりも上側である。
第２ボルト穴９Ｂは、第２モータ台支持台枠６Ｂのうち第２回転軸支持穴８Ｂ、第２プランジャ用穴１３Ｂ１、及び第２プランジャ用穴１３Ｂ２が形成されている面に対して直交するように接続されている面に形成されているものである。より詳細には、第２ボルト穴９Ｂは、第２モータ台支持台枠６Ｂのうち鉛直方向に略平行であって高さ方向が高い方の面に形成されているものである。なお、第２ボルト穴９Ｂの形成位置は、第１回転軸支持穴８Ａよりも上側である。
【００３５】
（フレーム５）
フレーム５は、モータ台支持台枠６を支持するものであり、第１フレーム５Ａ、第２フレーム、及び第３フレーム５Ｃ（図３参照）を有している。このフレーム５は、モータ台３及びモータ台支持台枠６を介して、ターボファン１、回転軸１１及びモータ２の重量を支えるものである。なお、フレーム５は、たとえば、室内機１００の本体１００Ａに固定される。
第１フレーム５Ａは、第２フレーム５Ｂと略平行に設けられ、縦断面形状が略コの字状の部材である。第１フレーム５Ａは、第１モータ台支持台枠６Ａの底面と接触して第１モータ台支持台枠６Ａを支持している。なお、第１フレーム５Ａと第１モータ台支持台枠６Ａとは、たとえば、溶接などがなされて固定される。
第２フレーム５Ｂは、第１フレーム５Ａと略平行に設けられ、縦断面形状が略コの字状の部材である。第２フレーム５Ｂは、第２モータ台支持台枠６Ｂの底面と接触して第２モータ台支持台枠６Ｂを支持している。なお、第２フレーム５Ｂと第２モータ台支持台枠６Ｂとは、たとえば、溶接などがなされて固定される。
第３フレーム５Ｃは、平面視形状が略ロの字状のものであり、第１フレーム５Ａ及び第２フレーム５Ｂの一方の端部側が接続されるとともに、第１フレーム５Ａ及び第２フレーム５Ｂの他方の端部側とが接続されているものである。第３フレーム５Ｃは、第１フレーム５Ａ及び第２フレーム５Ｂと、たとえば溶接などがなされて固定される。
【００３６】
［動作説明（取り外し時）］
まず、本体１００Ａからモータ２などを取り外す時の説明をする。
第１の状態（図３参照）のときには、モータ台３の第１ボルト穴３ＡＡ及び第１ボルト穴９Ａに接続されたボルトと、第２ボルト穴３ＢＢ及び第２ボルト穴９Ｂに接続されたボルトとを外すことで、回転軸３Ｃを支点にターボファン１、回転軸１１及びモータ２を回転させることができる。
図５に示すように、ターボファン１、回転軸１１、モータ２及びモータ台３が傾いていくと、第１プランジャ１２Ａが第１プランジャ用穴１３Ａ２に嵌り込むとともに、第２プランジャ１２Ｂが第２プランジャ用穴１３Ｂ２に嵌り込み、ターボファン１、回転軸１１、モータ２及びモータ台３の構成を傾斜した状態に保持することができる。
すなわち、モータ２の回転軸１１が鉛直方向となるようにモータ２が縦置きに配置された第１の状態から、モータ２の回転軸１１が鉛直方向に対して所定角度傾くようにモータ２が配置された第２の状態へ移行することができる。
このように、第１の状態から第２の状態へ移行すると、ターボファン１の吸込面１Ａを本体１００Ａの前面に向ける事ができ、ターボファン１のブッシング、或いはセットネジが外しやすい位置とすることができる。すなわち、作業者は、容易にターボファン１を外すことができる。
【００３７】
なお、図６に示すように、ターボファン１を回転軸１１から外した後に、モータ２の吊りボルト４は上に向いている。ボルト１０を外した後にハンドリフト等でモータ２を取り外すことができる。
【００３８】
ここで、第２の状態のときにおいては、モータ台３がターボファン１と、フレーム５が接触しないように、所定の角度で保持されている。すなわち、モータ台支持台枠６は、第１プランジャ１２Ａ及び第２プランジャ１２Ｂを第１プランジャ用穴１３Ａ２及び第２プランジャ用穴１３Ｂ２に嵌め込んだ状態において、ターボファン１とフレーム５とが接触しないように、第１プランジャ用穴１３Ａ２及び第２プランジャ用穴１３Ｂ２の形成位置と、モータ台３の回転軸１１が接続される回転軸支持穴８の形成位置とが設定されているということである。
【００３９】
［動作説明（取り付け時）］
次に、本体１００Ａからモータ２などを取り付ける時の説明をする。
モータ台３に形成されている位置決めピン１４を利用して、第２の状態となって傾斜しているモータ台３上に、回転軸１１を有するモータ２を設置する。なお、この位置決めピン１４により、モータ２は滑り落ちずに位置決めされ、モータ２とモータ台３とをボルト１０で固定しやすくなっている。そして、モータ２とモータ台３とをボルト１０で固定した後に、回転軸１１にターボファン１を取り付ける。
【００４０】
回転軸１１にターボファン１を取り付けた後に、第１プランジャ１２Ａ及び第２プランジャ１２Ｂを押し込む。これにより、所定の角度に保持されていたモータ台３は、モータの自重によって本体１００Ａの背面側に回転していき、モータ台３の第１回転防止部材３Ａ及び第２回転防止部材３Ｂと、モータ台支持台枠６の垂直面とが接触し回転が止まる（図３参照）。すなわち、第１の状態から第２の状態への移行が完了する。
この第２の状態で、第１回転防止部材３Ａ及び第２回転防止部材３Ｂの第１ボルト穴３ＡＡ及び第２ボルト穴３ＢＢと、モータ台支持台枠６の第１ボルト穴９Ａ及び第２ボルト穴９Ｂとをボルトで固定する。
【００４１】
［本実施の形態１に係る空気調和装置の室内機１００の有する効果］
本実施の形態１に係る空気調和装置の室内機１００は、モータ台３及びモータ台支持台枠６を有しているので、モータ台３上のモータ２を回転させることができる。このため、吊りボルト４がモータ２の上側にくるように、モータ２の姿勢を変化させることができる。すなわち、作業者は、吊りボルト４を保持して、モータ２の取り付けや取り外しをするため、吊りボルト４がモータ２の上側にきている分、作業者の負担を抑制することができる。
【００４２】
実施の形態２．
図８は、実施の形態２に係る空気調和装置の室内機１００の台枠固定部材１９及びその近傍の斜視図である。本実施の形態２は、実施の形態１との相違点を中心に述べるものとし、共通する部分についての説明は省略する。また、実施の形態１との共通する構成については、同一の符号を付している。
【００４３】
本実施の形態２では、モータ台支持台枠６とフレーム５との間に台枠固定部材１９を配置している。モータ台支持台枠６と台枠固定部材１９とは溶接され、モータ台支持台枠６及び台枠固定部材１９と、フレーム５とは、たとえばボルト２０などで固定される。なお、図８では、第１モータ台支持台枠６Ａ及び第１フレーム５Ａについてのみ図示しているが、第２モータ台支持台枠６Ｂ及び第２フレーム５Ｂについても、同様に台枠固定部材１９がこれらの間に設けられる。
【００４４】
なお、ボルト２０を外すことで、モータ台支持台枠６及び台枠固定部材１９の構成をフレーム５上を前後にスライドさせることができ、モータ２の位置を移動させることができる。
すなわち、作業者は、第１の状態から第２の状態に姿勢を変えた後に、ターボファン１を回転軸１１から取り外し、モータ台支持台枠６及び台枠固定部材１９をフレーム５上をスライドさせる。これにより、吊りボルト４を、室内機１００の本体１００Ａの前面側まで移動させることができる分、作業者がモータ２及び回転軸１１をモータ台３に取り付けたり、取り外したりする作業の負担を抑制することができる。
【００４５】
［本実施の形態２に係る空気調和装置の室内機１００の有する効果］
本実施の形態２に係る空気調和装置の室内機１００は、実施の形態１に係る空気調和装置の室内機１００の有する効果に加えて、モータ台支持台枠６及び台枠固定部材１９をフレーム５上をスライドさせることができるため、モータ２等を作業者側に引き寄せることができ、作業者がモータ２及び回転軸１１をモータ台３に取り付けたり、取り外したりする作業の負担を抑制することができる。
【００４６】
実施の形態３．
図９は、実施の形態３に係る空気調和装置の室内機１００の縦断面図である。本実施の形態３は、実施の形態１、２との相違点を中心に述べるものとし、共通する部分についての説明は省略する。また、実施の形態１、２との共通する構成については、同一の符号を付している。
【００４７】
実施の形態３では、フレーム５が室内機１００の本体１００Ａの上部に配置される。フレーム５の下にはモータ台支持台枠６が溶接されるが、実施の形態２の様に台枠固定部材１９を介して接続してもよいことは言うまでもない。これにより、モータ台支持台枠６及び台枠固定部材１９をフレーム５上をスライドさせることができ、作業者がモータ２及び回転軸１１をモータ台３に取り付けたり、取り外したりする作業の負担を抑制することができる。
モータ台３は、ボルト９が本体１００Ａの上部に配置されるように上下逆に取り付ける。この時、モータ２は、回転軸１１がモータ２の下側にくるようにモータ台３に取り付けられる。
【００４８】
モータ台３の第１ボルト穴３ＡＡ及び第１ボルト穴９Ａに接続されたボルトと、第２ボルト穴３ＢＢ及び第２ボルト穴９Ｂに接続されたボルトとを外すことで、回転軸３Ｃを支点にターボファン１、回転軸１１及びモータ２を回転させることができる。これにより、図９（ｂ）に示すように、ターボファン１の吸込面１Ａを室内機１００の本体１００Ａの前面側に向けることができる（第２の状態）。
【００４９】
ここで、本実施の形態３においても、第２の状態のときにおいては、モータ台３がターボファン１と、フレーム５が接触しないように、所定の角度で保持されている。すなわち、モータ台支持台枠６は、第１プランジャ１２Ａ及び第２プランジャ１２Ｂを第１プランジャ用穴１３Ａ２及び第２プランジャ用穴１３Ｂ２に嵌め込んだ状態において、ターボファン１とフレーム５とが接触しないように、第１プランジャ用穴１３Ａ２及び第２プランジャ用穴１３Ｂ２の形成位置と、モータ台３の回転軸１１が接続される回転軸支持穴８の形成位置とが設定されているということである。
【００５０】
［本実施の形態３に係る空気調和装置の室内機１００の有する効果］
本実施の形態３に係る空気調和装置の室内機１００は、実施の形態１、２に係る空気調和装置の室内機１００の有する効果と同様の効果を有する。
【符号の説明】
【００５１】
１  ターボファン、１Ａ  吸込面、２  モータ、３  モータ台、３Ａ  第１回転防止部材、３ＡＡ  第１ボルト穴、３Ｂ  第２回転防止部材、３ＢＢ  第２ボルト穴、３Ｃ  回転軸（モータ台回転軸）、４  吊りボルト、５  フレーム、５Ａ  第１フレーム、５Ｂ  第２フレーム、５Ｃ  第３フレーム、６  モータ台支持台枠、６Ａ  第１モータ台支持台枠、６Ｂ  第２モータ台支持台枠、８  回転軸支持穴、８Ａ  第１回転軸支持穴、８Ｂ  第２回転軸支持穴、９  ボルト、９Ａ  第１ボルト穴、９Ｂ  第２ボルト穴、１０  ボルト、１１  回転軸、１２Ａ  第１プランジャ、１２Ｂ  第２プランジャ、１３Ａ１  第１プランジャ用穴、１３Ａ２  第１プランジャ用穴、１３Ｂ１  第２プランジャ用穴、１３Ｂ２  第２プランジャ用穴、１４  位置決めピン、１５  ケーシング、１６  フレーム、１７  パネル、１７Ａ  開口部、１８  インレットリング、１９  台枠固定部材、２０  ボルト、２１  熱交換器、１００  室内機、１００Ａ  本体、１００Ｂ  吸込口、１００Ｃ  吹出口、Ａ  送風装置。
【図１】
2014119172.tif 000003
【図２】
2014119172.tif 000004
【図３】
2014119172.tif 000005
【図４】
2014119172.tif 000006
【図５】
2014119172.tif 000007
【図６】
2014119172.tif 000008
【図７】
2014119172.tif 000009
【図８】
2014119172.tif 000010
【図９】
2014119172.tif 000011